(57)【要約】【課題】  記憶された情報を簡単な方法で選択することができるＩＣカードを用いて、複数の場所への誘導を可能とする誘導システムを提供する。【解決手段】  誘導システム１を、少なくとも２箇所以上の地点に対応する地点情報を選択可能で、選択された地点情報を非接触にて出力することが可能なＩＣカード１１と、このＩＣカード１１から選択された地点情報を読み出すリーダライタ３１、地点情報に対応させてその地点の位置情報を記憶する位置情報記憶部３２、位置情報を用いて現在位置からその地点までの距離及び方向を演算する演算部３３、距離及び方向を表示する表示部３４、並びに、リーダライタ３１により読み出された地点情報に対応する位置情報を位置情報記憶部３２から読み出して、演算部３３により距離及び方向を演算させて表示部３４で表示させる表示制御部３５からなる表示装置３とから構成する。【選択図】  図１
2005291709.tif 000002
【特許請求の範囲】
【請求項１】
少なくとも２箇所以上の地点に対応する地点情報を選択可能で、選択された前記地点情報を非接触にて出力することが可能なＩＣカードと、
前記ＩＣカードから選択された前記地点情報を読み出すリーダライタ、前記地点情報に対応させて前記地点の位置情報を記憶する位置情報記憶部、前記位置情報を用いて現在位置から前記地点までの距離及び方向を演算する演算部、前記距離及び前記方向を表示する表示部、並びに、前記リーダライタにより読み出された前記地点情報に対応する前記位置情報を前記位置情報記憶部から読み出して、前記演算部により前記距離及び前記方向を演算させて前記表示部に表示させる表示制御部からなる表示装置とから構成されることを特徴とする誘導システム。
【請求項２】
一意に識別される識別情報を記憶し、少なくとも２箇所以上の地点に対応する地点情報を選択可能で、前記識別情報と選択された前記地点情報を非接触にて出力することが可能なＩＣカードと、
前記ＩＣカードから前記識別情報と選択された前記地点情報を読み出すリーダライタ、前記識別情報及び前記地点情報に対応させて前記地点の位置情報を記憶する位置情報記憶部、前記位置情報を用いて現在位置から前記地点までの距離及び方向を演算する演算部、前記距離及び前記方向を表示する表示部、並びに、前記リーダライタにより読み出された前記識別情報及び前記地点情報に対応する前記位置情報を前記位置情報記憶手段から読み出して、前記演算部により前記距離及び前記方向を演算させて前記表示部に表示させる表示制御部からなる表示装置とから構成されることを特徴とする誘導システム。
【請求項３】
前記ＩＣカードが、前記地点情報の一つに対応させて前記位置情報を記憶して非接触にて出力することが可能に構成され、
前記ＩＣカードに前記位置情報を書き込む位置書込装置を有し、
前記表示装置が、前記ＩＣカードにより前記位置情報が書き込まれた前記地点情報が選択されているときに、前記ＩＣカードから読み出した前記位置情報により前記方向及び距離を演算して表示するように構成したことを特徴とする請求項１または２に記載の誘導システム。
【請求項４】
前記ＩＣカードが、
カード本体に内蔵され、情報を記憶して前記情報の読み出し及び書き込みが可能なＩＣチップ及びアンテナ部と、
前記カード本体の表面に備えられ、前記ＩＣチップに配線により接続された一組の端子部からなる少なくとも２つ以上の情報選択部と、前記端子部に貼付されて前記端子部を導通させる導電性の選択シール部材とから構成され、
前記端子部に前記選択シール部材を着脱して前記端子部の導通・切断を切換えることにより、前記地点情報を選択可能にしたことを特徴とする請求項１〜３のいずれかに記載の誘導システム。
【請求項５】
前記表示部が地面に埋め込まれて前記方向及び前記距離を表示する表示面が前記地面と略同一平面上に位置するように構成されたことを特徴とする請求項１〜４のいずれかに記載の誘導システム。
【発明の詳細な説明】
【技術分野】
【０００１】
本発明は、所定の地点までの方向及び距離を表示して誘導する誘導システムに関し、特に詳細には、ＩＣカードを用いて地点情報を非接触で読み出すことにより誘導する誘導システムに関する。
【背景技術】
【０００２】
大規模な駐車場では、自分の駐車した自動車の位置をその駐車区画に与えられた番号や記号で記憶しておき、戻る時にその番号や記号を手がかりに自分の自動車を見つけ出す必要があるが、初めて利用するような場合では、駐車位置までたどり着くことが非常に困難である。そのため、非接触で情報の送受信を行いその情報を記憶することができるＩＣカードを駐車券として用いて、その駐車券（ＩＣカード）に記憶された位置へ利用者を誘導する駐車位置案内システムが知られている（例えば、特許文献１参照）。
【０００３】
【特許文献１】特開２００２−２１６２９７号公報
【発明の開示】
【発明が解決しようとする課題】
【０００４】
この駐車位置案内システムで用いられているＩＣカードは大きな記憶容量を有しているものがあり、自己の自動車の駐車位置だけでなく、その他の場所の情報、例えば、その駐車場に隣接するイベント会場における、各種イベントの位置等を記憶することもできる。しかしながら、駐車券のような小さく、且つ、薄い形状とした場合、ＩＣカードに記憶されている情報を選択する選択手段を設けることは困難であり、複数の場所への誘導に用いることができないという課題があった。ＩＣカードから位置情報を読み取って誘導する表示器に選択手段を設け、利用者に選択させてからその場所を案内する方法もあるが、表示器の設置場所で、その都度目的地を選択しなければ案内を受けることができなくなり、利便性が悪化してしまう。
【０００５】
本発明は、このような課題に鑑みてなされたものであり、記憶された情報を簡単な方法で選択することができるＩＣカードを用いて、複数の場所への誘導を可能とする誘導システムを提供することを目的とする。
【課題を解決するための手段】
【０００６】
前記課題を解決するために、第１の本発明に係る誘導システムは、少なくとも２箇所以上の地点に対応する地点情報を選択可能で、選択された地点情報を非接触にて出力することが可能なＩＣカードと、このＩＣカードから選択された地点情報を読み出すリーダライタ、地点情報に対応させてその地点の位置情報を記憶する位置情報記憶部、位置情報を用いて現在位置からその地点までの距離及び方向を演算する演算部、距離及び方向を表示する表示部、並びに、リーダライタにより読み出された地点情報に対応する位置情報を位置情報記憶部から読み出して、演算部により距離及び方向を演算させて表示部で表示させる表示制御部からなる表示装置とから構成される。
【０００７】
また、第２の本発明に係る誘導システムは、一意に識別される識別情報を記憶し、少なくとも２箇所以上の地点に対応する地点情報を選択可能で、識別情報と選択された地点情報を非接触にて出力することが可能なＩＣカードと、このＩＣカードから識別情報と選択された地点情報を読み出すリーダライタ、識別情報及び地点情報に対応させて地点の位置情報を記憶する位置情報記憶部、位置情報を用いて現在位置からその地点までの距離及び方向を演算する演算部、距離及び方向を表示する表示部、並びに、リーダライタにより読み出された識別情報及び地点情報に対応する位置情報を読み出して、演算部により距離及び方向を演算させて表示部に表示させる表示制御部からなる表示装置とから構成される。
【０００８】
なお、第１及び第２の本発明に係る誘導システムは、ＩＣカードが地点情報の一つに対応させて位置情報を記憶して非接触にて出力することが可能に構成され、このＩＣカードに位置情報を書き込む位置書込装置を有し、表示装置が、ＩＣカードにより位置情報が書き込まれた地点情報が選択されているときに、ＩＣカードから読み出した位置情報により方向及び距離を演算して表示するように構成することが好ましい。
【０００９】
また、ＩＣカードが、カード本体に内蔵され、情報を記憶して情報の読み出し及び書込みが可能なＩＣチップ及びアンテナ部と、カード本体の表面に備えられ、ＩＣチップに配線により接続された一組の端子部（例えば、実施形態における電極１６，１７）からなる少なくとも２つ以上の情報選択部と、端子部に貼付されてこの端子部を導通させる導電性の選択シール部材（例えば、実施形態における導電性シール１８）とから構成され、端子部に選択シール部材を着脱して端子部の導通・切断を切換えることにより、地点情報を選択可能にすることが好ましい。
【００１０】
さらに、表示部が、地面に埋め込まれて方向及び距離を表示する表示面が地面と略同一平面上に位置するように構成されることが好ましい。
【発明の効果】
【００１１】
第１の本発明に係る誘導システムを以上のように構成すると、ＩＣカードで選択された地点について、表示装置でその地点までの方向及び距離を表示することができるため、１枚のＩＣカードで複数の地点に対する誘導を行うことができる。また、第２の本発明に係る誘導システムを以上のように構成すると、識別情報毎に誘導する地点を変えることができるため、利用者毎に誘導先を設定することができる。
【００１２】
また、この第１及び第２の本発明においては、ＩＣカードにおいて選択可能な地点の一つに対応して位置情報を記憶可能にして位置書込装置で書き込むことにより、例えば、駐車場において自動車を駐車した区画のように、ＩＣカード毎に個別に設定した場所への誘導を行うこともできる。
【００１３】
このＩＣカードを、ＩＣカードに設けられた端子部を選択シール部材により導通させることにより地点情報を選択可能なように構成することにより、ＩＣカードにおける地点の選択が容易になる。また、このＩＣカードは従来からあるリーダライタで情報の読み書きが可能となるため、誘導システムを容易に実現することができる。
【００１４】
さらに、表示部を地面に埋め込み、表示面を地面と略同一平面上に位置するように構成することにより、ＩＣカードを持った利用者が方向及び距離の表示が見やすく、目的とする地点の方向の確認も容易となる。
【発明を実施するための最良の形態】
【００１５】
以下、本発明の好ましい実施形態について図面を参照して説明する。まず、図２を用いて、本実施例に係る誘導システム１において駐車券として用いられるＩＣカード１１について説明する。ＩＣカード１１は、合成樹脂で矩形の板状に形成されたカード本体１２を備えており、その内部にＣＰＵ、ＲＯＭ、Ｉ／Ｏ等を含むＩＣチップ１３と、外部のリーダライタ（読み取り・書込装置）との間で無線通信を行うアンテナ部１４と、ＩＣチップ１３に電気的に接続された２本一組の複数の配線１５とが埋め込まれている。各々の配線１５の先端には、相互に隣接してカード本体１２の表面に露出する一対の電極１６，１７が接続される。カード本体１２の表面には、一対の電極１６，１７をそれぞれ覆うように導電性シール１８が粘着材により貼り付けられており、各導電性シール１８によって対をなす電極１６，１７が電気的に導通する。導電性シール１８は、例えば、アルミ箔のような導電性材料で構成される。
【００１６】
導電性シール１８が貼り付けられた状態で一対の電極１６，１７が導通するときにＩＣチップ１３に入力される信号を「１」とし、一対の電極１６，１７が導通しないとき、すなわち、導電性シール１８が剥がされている状態のときにＩＣチップ１３に入力される信号を「０」とすると、導電性シール１８が貼り付けられているか、剥がされているかによって複数の情報を表すことができる。例えば、図２に示すように、５組の電極１６，１７がある場合、５ビットで表される情報（３２通りの情報）を表現することができる。つまり、本実施例の電極１６，１７及びで導電性シール１８は、情報の書き込み及び読み出しが可能な簡便なＲＡＭを構成する。
【００１７】
このように構成されたＩＣカード１１をリーダライタに接近させることで、アンテナ部１４を介して無線で通信を行い、導電性シール１８の貼付状態に応じた情報を非接触で読み取ることができる。このように、特別のリーダライタを必要とせず、従来のＩＣカードに用いられるリーダライタを利用することができるため、利便性が大幅に向上する。
【００１８】
それでは、このようなＩＣカード１１を駐車券として用いた誘導システム１について図１及び図３を用いて説明する。誘導システム１は、駐車券１１と、駐車券１１に利用者が自動車を駐車した位置を記憶する位置書込装置２と、駐車券１１において上述の導電性シール１８により利用者が選択した位置を読み出してその方向と距離を表示する表示装置３とから構成される。
【００１９】
駐車券１１は、図１に示すとおり、その表面に、導電性シール１８の位置に対応して複数の地点が文字として印刷されており、利用者はその導電性シール１８の一つを剥がすことにより、表示装置３で表示させる地点を選択するように構成されている。なお、これらの地点の一つは後述する位置書込装置２で記憶させた駐車位置を表示させることを選択するように構成されており（利用者により選択された地点の情報を以降の説明において「地点情報」と呼ぶ）、駐車位置の位置情報はこの駐車券（ＩＣカード）１１の有するＩＣチップ１３に記憶されるように構成されている。例えば、図１に示すように、地点Ｂに対応する導電性シール１８が剥がされているときは、地点情報は上から「１０１１１」と表現される。
【００２０】
図３に示すように、駐車場には複数の駐車区画Ｐが設けられており、位置書込装置２はその駐車区画Ｐ毎に設けられている。この位置書込装置２は、その駐車区画Ｐの位置情報（例えば、ＸＹ座標）を記憶する位置情報記憶部２１と、駐車券１１（ＩＣチップ１３）の送受信を行うリーダライタ２２と、このリーダライタ２２を用いて位置情報記憶部２１に記憶された位置情報を駐車券１１に書き込む書込み制御部２３とから構成されている。そのため、利用者が自動車を駐車し、この位置情報記憶部２１に駐車券１１を近づけると、書込み制御部２３がその駐車区画Ｐの位置情報を駐車券１１のＩＣチップ１３に書き込むように構成されている。
【００２１】
一方、表示装置３は、駐車場の通路上に複数設置されており、例えば、図３に示すように通路の交差点Ｃの路上に埋め込まれて配設されている。この表示装置３は、駐車券１１から利用者が選択した表示させたい地点の情報と、駐車場の位置情報を読み出すリーダライタ３１と、この表示装置３が設置されている位置情報及び表示する各地点の位置情報が記憶された位置情報記憶部３２と、位置情報記憶部３２に記憶された位置情報から利用者が選択した地点までの方向及び距離を演算する演算部３３と、演算された方向及び距離を表示する表示部３４並びにこれらを制御する表示制御部３５とから構成される。
【００２２】
この表示装置３の位置情報記憶部３２は、駐車券１１で選択可能な地点の位置情報を記憶しており、駐車券の地点情報（本実施例の場合は、上述の５ビットの数字で構成される）に対応してその地点の位置情報（ＸＹ座標）が記憶されている。また、この表示装置３が設置されている位置情報（ＸＹ座標）も同様の形式で記憶されている。
【００２３】
図３に示すように、この表示装置３の表示部３５の上面（表示面）は交差点Ｃの路面と略同一平面上に位置しており、内部にリーダライタ３１や表示制御部３５等が内蔵されている。そのため、利用者がこの表示装置３の近傍に近づくと、リーダライタ３１により駐車券１１で選択された地点情報と、この駐車券１１に記憶された駐車区画Ｐの位置情報が読み出される。表示制御部３５は、地点情報が駐車場以外のとき（図１に示す構成の駐車券の場合は、地点情報が「１１１１０」でないとき）は、駐車券１１から読み出された地点情報に対応する位置情報を位置情報記憶部３２から読み出す。そして、この読み出された位置情報、若しくは、選択された地点情報が駐車場のときは駐車券１１から読み出された駐車区画Ｐの位置情報と、この表示装置３が設置されている位置の位置情報とを用いて演算部３３によりその地点の方向と距離を演算で求める。このようにして求められた方向及び距離が例えば、図４（Ａ）に示すように距離表示３４ａ及び方向表示３４ｂとして表示部３４に表示される。
【００２４】
なお、この表示装置３は、立体形状とすることも可能であり、例えば、図４（Ｂ）に示すように、円筒状に形成し、上面に距離表示３４ａを設け、その上面の円周上に複数のランプからなる方向表示３４ｂを設けて構成することも可能である。この場合、距離は上面に文字（数字）で表現され、方向はランプが点灯で表現される。
【００２５】
以上のような本実施例に係る誘導システム１によると、利用者は、駐車券１に記憶させた駐車区画Ｐへの誘導だけでなく、予めシステムで設定された複数の地点を選択して誘導を受けることができ、大規模な駐車場やイベント会場でも容易に目的地点に行くことができる。このとき、導電性シール１８を剥がした地点に再度導電性シール１８を貼り付け、別の地点の導電性シール１８を剥がすことにより、所望の地点への誘導を受けることができる。
【００２６】
なお、以上の実施例においては、位置書込装置２で記憶させる駐車区画Ｐの位置情報以外は、表示装置３が有する位置情報記憶部３２に記憶するように構成した場合について説明したが、この表示装置３をネットワーク（例えば、ローカルエリアネットワーク）で接続し、このネットワークに接続されたサーバ装置で各地点の位置情報を記憶し、表示装置３はネットワークを介してサーバ装置から各地点の位置情報を読み出すように構成することも可能である。この場合、この表示装置３が設置されている位置情報は、位置情報記憶部３２に記憶される。このような構成によれば、誘導する地点が変更になっても、サーバ装置で一元的に管理されている各地点の位置情報を変更するだけで良いため、誘導システム１の管理が容易になる。
【００２７】
また、以上の実施例では、利用者が行きたい地点に対応する導電性シール１８を剥がすことにより地点情報を選択するように構成したが、行きたい地点に対応する電極１６，１７にだけ、導電性シール１８を貼ることにより地点情報を選択するように構成することも可能である。この場合、上述の論理（１，０）の組み合わせは逆になる。
【００２８】
また、各駐車券１１のＩＣチップ１３に個別の識別情報（識別番号）を記憶させておき、表示装置３がこの識別番号も地点情報や駐車区画の位置情報とともに読み出すように構成することも可能である。そして位置情報記憶部に、この識別番号と地点情報を組み合わせて位置情報を管理するように構成することにより、識別番号を用いて利用者毎に行きたい地点を設定して誘導するように構成することが可能である。例えば、病院において本実施例に係る誘導システム１を用いて検査場所（検査室、診察室等）に誘導するような場合に、各利用者の検査項目に合わせて必要な検査場所に誘導することができる。
【図面の簡単な説明】
【００２９】
【図１】本発明に係る誘導システムを示すブロック図である。
【図２】ＩＣカードを示す平面図である。
【図３】駐車場に誘導システムを設置した場合の説明図である。
【図４】表示装置の表示部を示す図であり、（Ａ）は地面に埋め込む場合の表示装置を示す図であり、（Ｂ）は立体形状にした場合を示す図である。
【符号の説明】
【００３０】
１  誘導システム
２  位置書込装置
３  表示装置
１１  駐車券（ＩＣカード）
１２  カード本体
１３  ＩＣチップ
１４  アンテナ部
１５  配線
１６，１７  電極
１８  導電性シール
３１  リーダライタ
３２  位置情報記憶部
３３  演算部
３４  表示部
３５  表示制御部
【図１】
2005291709.tif 000003
【図２】
2005291709.tif 000004
【図３】
2005291709.tif 000005
【図４】
2005291709.tif 000006